(57)【要約】 【課題】  文字や図形などの大きさを変えることなく、単位面積当りの情報量を２倍以上に増加させることが可能な銘板及び銘板が貼付された電池パックを提供する。【解決手段】  短冊状に交互に印刷した第一の画像の印刷層１８と第二の画像の印刷層１９を、レンチキュラーシート１５を通して第一の視点２０と第二の視点２１から見ることによって画像が変化する。【選択図】  図１
2010040465.tif 000002
【特許請求の範囲】
【請求項１】
機器の定格や安全規格、リサイクルマーク、注意文等の情報を表示する銘板において、視点によって画像が変化することにより単位面積当りの情報量を２倍以上に増加させることを特徴とする銘板。
【請求項２】
機器の定格や安全規格、リサイクルマーク、注意文等の情報を表示する銘板が底面に貼付された電池パックにおいて、前記銘板が視点によって画像が変化することにより単位面積当りの情報量を２倍以上に増加させることを特徴とする電池パック。
【発明の詳細な説明】
【技術分野】
【０００１】
本発明は、電子機器等に取り付ける銘板及び銘板が貼付された電池パックに関するものである。
【背景技術】
【０００２】
近年、電子機器の銘板において、表示面積が不足する場合が増えている。その理由としては、電子機器が小型化されているのに対し、ＰＬ法対応のための注意事項やリサイクルマーク、安全規格マークなど多くの情報表示が義務化されている、といったことが挙げられる。
【０００３】
特に、リチウムイオン二次電池において２００８年にＰＳＥマーク（法律を守って製造、輸入した電気製品の証）の表示が義務化され、ますます表示事項が増える傾向にある。
【０００４】
製品が小型化され、表示すべき情報量が増えてきているという状況に対応する必要があるが、特にリチウムイオン二次電池において、通常の印刷では表示可能範囲に必要情報を表示しきれない場合が増加している。
【０００５】
情報量が多くなった場合、銘板に情報を表示する方法として、さまざまな方法が記載されている。特許文献１では、ケースを透明又は半透明部材にて形成することで、ケースの大型化を招くことなく、部品点数を増やすことなく銘板表示部を設けている。また、銘板数は多くても、一つの銘板に表示する情報量が少ない場合に、銘板シートや転写シートを利用して銘板を貼り付ける方法が特許文献２に記載されている。
【０００６】
【特許文献１】特開２００２−３０５３８６号公報
【特許文献２】特開平１０−１７１３５８号公報
【発明の開示】
【発明が解決しようとする課題】
【０００７】
前述のような方法を用いた場合、更なる情報量の増加に対応できない恐れがある。すなわち特許文献１による方法では、銘板表示部を覆っている透明又は半透明なケースの銘板表示直上部に情報を表示すると、上下の情報が重なって表示されるので判読できず、情報量を増加させることが難しい。また特許文献２による方法で情報量を増加させるには、文字の大きさを小さくすることが考えられるが、文字の大きさを小さくすると、判読できず、やはり情報量を増加させることが難しい。
【０００８】
図４は、従来の銘板を示す電池パックの底面図である。銘板１２は、既に電池パック１１の底面の表示可能範囲全てを使用しており、注意事項やリサイクルマークは表示しているが、今後、義務化されるＰＳＥマークを表示する領域がない。
【０００９】
図４に示す銘板にＰＳＥマークを追加して表示しようとする場合の解決策としては、正面に銘板を１枚追加する方法が考えられる。図５は、従来の銘板にＰＳＥマークを追加して表示するための解決策を示す図で、図５（ａ）は底面図、図５（ｂ）は正面図、図５（ｃ）は上方斜視図、図５（ｄ）は下方斜視図である。
【００１０】
しかし、この場合、正面は意匠面にあたり、この面に２枚目の銘板１３を配置することは、デザイン性を低下させ且つデザインの自由度を制限することになり、不都合が生じる。上記の問題を解決するには、表示可能な銘板の単位面積当りの情報量を増加させることにより、銘板を追加することなく従来の大きさで表示することが必要である。
【００１１】
すなわち、本発明の技術的課題は、文字や図形などの大きさを変えることなく、単位面積当りの情報量を２倍以上に増加させることが可能な銘板及び銘板が貼付された電池パックを提供することにある。
【課題を解決するための手段】
【００１２】
本発明の銘板は、機器の定格や安全規格、リサイクルマーク、注意文等の情報を表示する銘板において、視点によって画像が変化することにより単位面積当りの情報量を２倍以上に増加させることを特徴とする。
【００１３】
本発明の電池パックは、機器の定格や安全規格、リサイクルマーク、注意文等の情報を表示する銘板が底面に貼付された電池パックにおいて、前記銘板が視点によって画像が変化することにより単位面積当りの情報量を２倍以上に増加させることを特徴とする。
【発明の効果】
【００１４】
本発明により、文字や図形などの大きさを変えることなく、視点によって画像が変化することにより単位面積当りの情報量を２倍以上に増加させることが可能な銘板及び銘板が貼付された電池パックを提供することができた。また、電池パックには銘板を追加しないですむため、デザイン性及びデザインの自由度の低下を回避することができた。
【発明を実施するための最良の形態】
【００１５】
次に、本発明の実施の形態について銘板の例として電池パックについて図面を参照して説明する。
【００１６】
図１は、本発明の銘板を説明する図で、図１（ａ）は銘板の斜視図、図１（ｂ）は図１（ａ）の銘板端面であるＡ部の拡大斜視図である。銘板１２は基材１６、糊１７、第一の画像の印刷層１８、第二の画像の印刷層１９およびレンチキュラーシート１５を有する。第一の画像の印刷層１８と第二の画像の印刷層１９は、それぞれ短冊状に交互に印刷されている。
【００１７】
視点によって画像が変化する方法には、ホログラフィを利用することも可能であるが、視点による表示の切り替えが曖昧になるので、レンチキュラーシートを利用するのが好ましい。
【００１８】
第一の視点２０から見た場合は第一の画像だけが、第二の視点２１から見た場合は第二の画像だけが連続して視認できるような凸レンズを規則的に配列したレンチキュラーシート１５が、銘板１２の上面に配置されている。第一の視点２０は銘板１２の左上方にあり、第二の視点２１は銘板１２の右上方にある。
【００１９】
短冊状に印刷された画像の印刷層の幅は、レンチキュラーシートの一つの凸レンズ幅のおよそ２分の１であることが画像形成上好ましい。
【００２０】
図２は、本発明の銘板を貼付した電池パックの底面図で、図２（ａ）は第一の視点、図２（ｂ）は第二の視点から見た場合の銘板の表示イメージである。
【００２１】
銘板１２の左上方にある第一の視点から銘板１２を見ると、レンチキュラーシートの作用により第一の画像の印刷層である短冊状の印刷層のみが連続して視認され、結果として銘板１２には図２（ａ）に示されている一つの情報を知ることができる。銘板１２の右上方にある第二の視点から銘板１２を見ると、同様に図２（ｂ）に示されているもう一つの情報を知ることができる。
【００２２】
これにより、銘板１２を追加することなくＰＳＥマーク１４を新たに表示することができる。また、単位面積当りの情報量を２倍以上に増加させることにより従来必要とされながらも配置できなかった情報、例えば偽造防止マーク２２なども表示可能になる。
【００２３】
本発明は、電子機器の銘板において、表示可能な単位面積当りの情報量を増加させれば、銘板を追加しないですむため、デザイン性及びデザインの自由度の低下を回避できることに着目したものである。
【００２４】
本発明による銘板は、レンチキュラーシートの作用により見る角度によって画像が変化するので、文字や図形などの大きさを変えることなく従来の方法に比べ表示可能な単位面積当りの情報量を２倍以上に増やすことが可能である。
【００２５】
レンチキュラーシートと画像の印刷層との組み合わせにより、視点の数は増やせるので３倍、４倍と表示可能な単位面積当りの情報量を増加させることが可能である。
【００２６】
本発明の銘板は、表示すべき情報量に対し表示面積が不足している場合であれば、電気製品だけでなく、その他の製品の銘板にも利用可能である。
【実施例】
【００２７】
以下に本発明の実施例を詳述する。
【００２８】
本実施例では、凸レンズのピッチが０．４ｍｍのレンチキュラーシートを使用した。短冊状の画像の印刷層の幅は、０．２ｍｍとした。銘板の左上方にある第一の視点から銘板を見ると一つの情報を知ることができ、右上方にある第二の視点から銘板を見ると同様にもう一つの情報を知ることができた。これにより、表示可能な単位面積当りの情報量を２倍にすることができた。
【００２９】
図３は、本発明を適用した電池パックの斜視図で、図３（ａ）は上方斜視図、図３（ｂ）は下方斜視図である。銘板１２は３０ｍｍ×２５ｍｍの大きさで、４０ｍｍ×３７ｍｍ×２５ｍｍの電池パック１１の底面に貼り付けた。２枚分の情報量を１枚の銘板で表示したことにより、デザイン性が低下していないことが確認できた。
【００３０】
本発明により、文字や図形などの大きさを変えることなく、視点によって画像が変化することにより単位面積当りの情報量を２倍以上に増加させることが可能な銘板及び銘板が貼付された電池パックを提供することができた。また、電池パックには銘板を追加しないですむため、デザイン性及びデザインの自由度の低下を回避することができた。
【産業上の利用可能性】
【００３１】
表示すべき情報量に対し表示面積が不足している製品の銘板及び銘板が貼付された電池パックに利用可能である。
【図面の簡単な説明】
【００３２】
【図１】本発明の銘板を説明する図、図１（ａ）は銘板の斜視図、図１（ｂ）は図１（ａ）の銘板端面であるＡ部の拡大斜視図。
【図２】本発明の銘板を貼付した電池パックの底面図、図２（ａ）は第一の視点、図２（ｂ）は第二の視点から見た場合の銘板の表示イメージ。
【図３】本発明を適用した電池パックの斜視図、図３（ａ）は上方斜視図、図３（ｂ）は下方斜視図。
【図４】従来の銘板を示す電池パックの底面図。
【図５】従来の銘板にＰＳＥマークを追加して表示するための解決策を示す図、図５（ａ）は底面図、図５（ｂ）は正面図、図５（ｃ）は上方斜視図、図５（ｄ）は下方斜視図。
【符号の説明】
【００３３】
１１    電池パック
１２    銘板
１３    ２枚目の銘板
１４    ＰＳＥマーク
１５    レンチキュラーシート
１６    基材
１７    糊
１８    第一の画像の印刷層
１９    第二の画像の印刷層
２０    第一の視点
２１    第二の視点
２２    偽造防止マーク
【図１】
2010040465.tif 000003
【図２】
2010040465.tif 000004
【図３】
2010040465.tif 000005
【図４】
2010040465.tif 000006
【図５】
2010040465.tif 000007